(57)【要約】      （修正有）【課題】難燃性を示しながら燃焼可能であり、ハロゲン等の有害物質を含まず、燃焼時にハロゲン誘導体等の有害ガスを発生せず、かつ燃焼時の灰分の発生量の少ない難燃化ポリオレフィン系樹脂を使用してなる観賞用造花を提供する。【解決手段】分子中に活性なＯＨ基を有する臭素化シクロアルカン化合物をポリオレフィン系樹脂、１００部に対し１〜１０部添加することにより、自己消化性以上の難燃性能あるいは着火時間を遅延せしめる素材が得られる。此の素材を使用することにより加工性の良い、柔軟性のある、観賞用造花及びその関連資材を製造する事が出来る。又、この資材は、ノンハロゲンであるため、燃焼時の有害ガス、多量の灰分等を残さず、さらに、従来の難燃材に比べ熱分解しやすい組成であることから、ケミカルリサイクルが可能である。【選択図】図１
0003136687.tif 000002
【実用新案登録請求の範囲】
【請求項１】
ポリオレフィン系樹脂に、活性ＯＨ基を有する臭素化シクロアルカン化合物を溶融混練する事を特徴とする樹脂組成物。
【請求項２】
請求項１の樹脂組成物を使用成形して成る観賞用造花及びその関連資材。
【考案の詳細な説明】
【技術分野】
【０００１】本発明は、難燃性を示しながら燃焼可能であり、ハロゲン等の有害物質を含まず、燃焼時にハロゲン誘導体等の有害ガスを発生せず、かつ燃焼時の灰分の発生量の少ない難燃化ポリオレフィン系樹脂を使用してなる観賞用造花及びその関連資材に関するものである。
【背景技術】
【０００２】ポリオレフィン系樹脂は安価でありながら、加工性や耐薬品製性に優れているため、様々な用途に用いられている。しかしながら昜燃性のため、従来多くの改良が試みられてきた。代表的な方法としてはハロゲン系の難燃剤を配合する方法が有るものの、ハロゲン系の難燃剤は燃焼時に有害なハロゲン含む有害ガスを発生すると云う問題がある。ここで非ハロゲン系難燃剤として金属水酸化物を添加する解決方法が知られている。しかしながら金属水酸化物の場合、単独添加系では充分な難燃性が得られず、他の成分とともに配合すると多重配合となって樹脂としての加工性が低下し、同時に加熱変形率が増大する欠点がある。
【考案が解決しようとする課題】
【０００３】本発明は、上記欠点を解決する、すなわち、加工性が良好で、加熱変形率が低く、充分な引張強度と柔軟性を有しながらハロゲン系難燃剤を用いない難燃樹脂組成物及びそれを使用してなる観賞用造花及びその関連資材を提供することを目的とする。
【課題を解決するための手段】
【０００４】上記課題を解決するための本発明は、ハロゲンを含まない難燃剤ＯＨ基を有する臭素化シクロアルカン化合物を選択しそれをポリオレフィン系樹脂１００部に対して１〜１０部添加して成る樹脂組成物及びそれを使用した観賞用造花及びその関連資材を提供する。
【考案を実施するための最良の形態】
【０００５】本発明は、課題を解決するために、ポリオレフィン系樹脂にハロゲンを含まない難燃剤ＯＨ基を有する臭素化シクロアルカン化合物添加混合する事を選択した。【０００６】ポリオレフィン系樹脂としては、ポリオレフィンあるいはオレフィン系エラストマーのいずれかが主に使われるが、それが単体であれ、ブレンド体あるいは共重合体となっていてもかまわない。【０００７】ＯＨ基を有する臭素化シクロアルカン化合物はポリオレフィン系樹脂に限らず、ＰＶＡ、アクリル樹脂、ポリエステル樹脂、ポリアミド樹脂、ポリウレタン樹脂など主立った樹脂に混練でき、これらは、ブレンドして用いてもかまわない。【０００８】このようにして得られた、難燃材を使用して作られた、観賞用造花及びその関連資材はポリオレフィン系樹脂を多く含むことから、従来使用されてきた難燃材に比べて熱分解しやすい。そのため、樹脂を熱分解して必要成分のみを抽出してリサイクルするケミカルリサイクルに適した観賞用造花及びその関連資材を提供する事ができる。
【発明の尾効果】
【０００９】本発明の難燃化ポリオレフィン系樹脂組成物は、ポリオレフィン系樹脂を難燃化するために、難燃剤として、臭素化シクロアルカン化合物を用いているため、加工性が良好で、加熱変形率が低く、充分な引張強度、柔軟性を有する、また、燃焼時の有害ガスの発生もなく、灰分も少ない。
特に、ポリオレフィン系樹脂は熱分解されやすい事から、ケミカルリサイクルに適した、難燃素材であり、環境問題に対応した素材として、幅広く用いる事ができる。
0003136687.tif 000003
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
ポリオレフィン系樹脂に、活性ＯＨ基を有する臭素化シクロアルカン化合物を溶融混練する事を特徴とする樹脂組成物で造られた難燃性の観賞用造花及び樹木。
【請求項２】
請求項１の樹脂組成物を使用  成形して成る難燃性の芝生  コケ  花瓶等装飾資材。
【手続補正２】
【補正対象書類名】明細書
【補正対象項目名】全文
【補正方法】変更
【補正の内容】
【考案の詳細な説明】
【技術分野】
【０００１】本発明は、難燃性を示しながら燃焼可能であり、ハロゲン等の有害物質を含まず、燃焼時にハロゲン誘導体等の有害ガスを発生せず、かつ燃焼時の灰分の発生量の少ない難燃化ポリオレフィン系樹脂を使用してなる観賞用造花及びその関連資材に関するものである。
【背景技術】
【０００２】ポリオレフィン系樹脂は安価でありながら、加工性や耐薬品製性に優れているため、様々な用途に用いられている。しかしながら昜燃性のため、従来多くの改良が試みられてきた。代表的な方法としてはハロゲン系の難燃剤を配合する方法が有るものの、ハロゲン系の難燃剤は燃焼時に有害なハロゲン含む有害ガスを発生すると云う問題がある。ここで非ハロゲン系難燃剤として金属水酸化物を添加する解決方法が知られている。しかしながら金属水酸化物の場合、単独添加系では充分な難燃性が得られず、他の成分とともに配合すると多重配合となって樹脂としての加工性が低下し、同時に加熱変形率が増大する欠点がある。
【考案が解決しようとする課題】
【０００３】本発明は、上記欠点を解決する、すなわち、加工性が良好で、加熱変形率が低く、充分な引張強度と柔軟性を有しながらハロゲン系難燃剤を用いない難燃樹脂組成物及びそれを使用してなる観賞用造花及びその関連資材を提供することを目的とする。
【課題を解決するための手段】
【０００４】上記課題を解決するための本発明は、ハロゲンを含まない難燃剤ＯＨ基を有する臭素化シクロアルカン化合物を選択しそれをポリオレフィン系樹脂１００部に対して１〜１０部添加して成る樹脂組成物及びそれを使用した観賞用造花及びその関連資材を提供する。
【考案の効果】
【０００５】本発明の難燃化ポリオレフィン系樹脂組成物は、ポリオレフィン系樹脂を難燃化するために、難燃剤として、臭素化シクロアルカン化合物を用いているため、加工性が良好で、加熱変形率が低く、充分な引張強度、柔軟性を有する、また、燃焼時の有害ガスの発生もなく、灰分も少ない。
特に、ポリオレフィン系樹脂は熱分解されやすい事から、ケミカルリサイクルに適した、難燃素材であり、環境問題に対応した素材として、幅広く用いる事ができる。
【考案を実施するための最良の形態】
【０００６】本発明は、課題を解決するために、ポリオレフィン系樹脂にハロゲンを含まない難燃剤ＯＨ基を有する臭素化シクロアルカン化合物添加混合する事を選択した。【０００７】ポリオレフィン系樹脂としては、ポリオレフィンあるいはオレフィン系エラストマーのいずれかが主に使われるが、それが単体であれ、ブレンド体あるいは共重合体となっていてもかまわない。【０００８】ＯＨ基を有する臭素化シクロアルカン化合物はポリオレフィン系樹脂に限らず、ＰＶＡ、アクリル樹脂、ポリエステル樹脂、ポリアミド樹脂、ポリウレタン樹脂など主立った樹脂に混練でき、これらは、ブレンドして用いてもかまわない。【０００９】このようにして得られた、難燃材を使用して作られた、観賞用造花及びその関連資材はポリオレフィン系樹脂を多く含むことから、従来使用されてきた難燃材に比べて熱分解しやすい。そのため、樹脂を熱分解して必要成分のみを抽出してリサイクルするケミカルリサイクルに適した観賞用造花及びその関連資材を提供する事ができる。
【図面の簡単な説明】
【００１０】
【図１】請求項１記載の難燃性の造花の斜視図
【図２】請求項２記載の難燃性の芝  苔  しだ  の斜視図
【符号の説明】
【００１１】    １１  難燃加工された  葉
１２  難燃加工された  花
２１  難燃加工された  苔
２２  難燃加工された  芝
２３  難燃加工された  しだ
【手続補正３】
【補正対象書類名】図面
【補正対象項目名】全図
【補正方法】追加
【補正の内容】
【図１】
0003136687.tif 000004
【図２】
0003136687.tif 000005